(57)【要約】【課題】洗った小物類を取り出し易くさせ、小物類から水を切れ易くさせることを課題とする。【解決手段】水切りかご８０又はシンク９２に掛止するための掛止部３４，３４と、該掛止部にて前記水切りかご８０又は前記シンク９２に掛止された状態で洗浄後の小物類Ｗ２を収容するための収容部２２とを備え、該収容部が長手方向Ｄ１へ傾斜するとともに前記小物類Ｗ２から流れてくる水を抜くための穴２３を有するように、小物入れ１０を構成する。前記収容部２２が小物入れ本体２０に設けられ、前記掛止部３４，３４が前記小物入れ本体２０を支持する支持部材３０に設けられ、前記小物入れ本体２０が前記収容部２２に前記小物類Ｗ２を収容させる状態で前記支持部材３０に対して複数の向きにて着脱可能に支持されてもよい。【選択図】図５
2008173373.tif 000002
【特許請求の範囲】
【請求項１】
水切りかご又はシンクに掛止するための掛止部と、該掛止部にて前記水切りかご又は前記シンクに掛止された状態で洗浄後の小物類を収容するための収容部とを備え、該収容部が長手方向へ傾斜するとともに前記小物類から流れてくる水を抜くための穴を有することを特徴とする小物入れ。
【請求項２】
前記収容部が小物入れ本体に設けられ、前記小物入れ本体を支持する支持部材に前記掛止部が設けられ、前記小物入れ本体が前記収容部に前記小物類を収容させる状態で前記支持部材に対して複数の向きにて着脱可能に支持されるようにされたことを特徴とする請求項１に記載の小物入れ。
【請求項３】
前記長手方向に対する垂直断面において前記収容部が下方へ向かって膨出し該収容部の底部が曲線状に膨らむように湾曲した形状とされていることを特徴とする請求項１又は請求項２に記載の小物入れ。
【発明の詳細な説明】
【技術分野】
【０００１】
本発明は、洗浄後の小物食器等の小物類を収容して水を切るための小物入れに関する。
【背景技術】
【０００２】
湯や水で洗った食器類を入れて水を切るために、水切りかごが用いられている。箸、スプーン等の小物食器類は、水切りかごの網目から落ちることがあるため、水切りかご内に配置された小物用ポケットに入れられて水切りされている。しかし、水切りかご内で小物用ポケットの下側にはほとんど隙間が無いため、水切りかご内へ大きな食器類を収容する際に小物用ポケットが邪魔になることがある。
なお、食器乾燥機の技術ではあるが、下カゴに箸カゴ部を一体成形した食器乾燥機が知られている（特許文献１参照）。しかし、下カゴから箸カゴ部を取り外すことができず、下カゴ内へ大きな食器類を収容する際に箸カゴ部が邪魔になることがある。
【０００３】
水切りかご内で小物用ポケットの下側の隙間を多くする技術として、食器乾燥機の技術ではあるが、食器収納槽内に配設される上カゴと下カゴとを着脱可能な連結構成とした食器乾燥機が知られている（特許文献１参照）。この食器乾燥機の下カゴは、収容部が水平に配置される。
【０００４】
また、特許文献２記載の小物入れ付き水切り容器は、図１０に示すように、洗った食器類を収容する支持かごと、この支持かごに収容した食器類から流れ落ちる水滴を受けるトレーと、前記支持かごの外側に配設されて、洗った食器類の中でも主に小物類を収容すると共に、この洗った小物類から流れ落ちる水滴を前記トレーに排出可能な状態に形成した小物入れとから構成されている。なお、同図は、特許文献２の図１を引用した。この小物入れの水受け板は、支持かごの枠部に小物入れが掛止されるため長手方向が支持かごの枠部と平行にされている。また、水受け板は、小物類からの水滴をトレー内に排出するため穴が形成されておらず、かつ、水受け板は、小物類からの水滴をトレーに向けて導くためトレー側が低くなるように長手方向に対して垂直な短手方向へ傾斜している。すなわち、水受け板は、長手方向においては水平に配置されている。
【特許文献１】特開平１０−１４８５３号公報
【特許文献２】特開２００１−２９９６７３号公報
【発明の開示】
【発明が解決しようとする課題】
【０００５】
上述した従来の技術では、上カゴや小物入れが少なくとも長手方向へは水平に配置されているため、洗った小物食器等の小物類が長手方向に揃わず、小物類を取り出し難かった。
【０００６】
本発明は、上記課題に鑑みてなされたもので、洗った小物類を出し易くさせることを目的とする。
【課題を解決するための手段】
【０００７】
上記目的を達成するため、本発明の小物入れは、水切りかご又はシンクに掛止するための掛止部と、該掛止部にて前記水切りかご又は前記シンクに掛止された状態で洗浄後の小物類を収容するための収容部とを備え、該収容部が長手方向へ傾斜するとともに前記小物類から流れてくる水を抜くための穴を有することを特徴とする。
本小物入れによると、洗った小物食器等の小物類が長手方向に揃うので、小物類が小物入れから出し易くなる。
【０００８】
各請求項に係る発明において、水切りかご等に掛止部が掛止されることには、単に水切りかご等に掛止部が引っ掛かるだけで止まることのみならず、水切りかご等と係わり合って掛止部が止まること、水切りかご等と嵌合して掛止部が止まること、等も含まれる。また、上記シンクは洗浄や調理等のための水槽をいい、シンクに掛止部が掛止されることにはシンクの開口部を構成するキッチンカウンタに掛止部が掛止されることも含まれる。
なお、上記小物入れを有する水切りかごの発明や、上記小物入れを有するシンクの発明も、上述した作用、効果を奏する。
【発明の効果】
【０００９】
以上説明したように、本発明によれば、洗浄後の小物等を小物入れから出し易くさせることが可能になる。
請求項２にかかる発明では、利用者が収容部の傾斜の方向を好みに応じて容易に変更することができるので、使い勝手を向上させることができる。
請求項３にかかる発明では、洗った小物類が収容部において湾曲した底部に集まるので、小物類をさらに出し易くさせることができる。
【発明を実施するための最良の形態】
【００１０】
（１）小物入れの構成：
図１は、本発明の一実施形態に係る小物入れ１０を設置したシステムキッチン９０の要部を示している。システムキッチン９０には、食器や調理器具等を洗浄するためのシンク９２を有するキッチンカウンタ９４が設けられている。カウンタ９４は、ワークトップとも呼ばれ、調理や配膳や後片付け等の作業をする面として用いられる天板とされ、樹脂成形材料や金属の成形品等が用いられる。シンク９２の本体部９２ａには金属や樹脂成形材料の成形品等が用いられる。
【００１１】
皿や茶碗といった食器や調理器具等の水を切るための水切りかご８０は、図示のようにシンク９２に掛止されたり、シンク近傍のカウンタ９４上に置かれた水受けトレイ上に載置されたり、カウンタ上面が濡れてもよい場合にはシンク近傍のカウンタ９４上に直接載置されたりして、用いられる。ここで、箸、スプーン、フォークといった小物食器等の小物類は水切りかご８０の網の目から脱落することがあるため、水切りかごの網の目よりも目の細かい穴を有する小物入れが用いられる。本小物入れ１０は、水切りかご８０内で該水切りかごに掛止され、小物食器類といった小物類から流れてくる水を下方へ排出するようにされている。従って、食器類や調理器具類を洗う人は、湯や水で洗った後、比較的大きい食器等（洗浄後の物Ｗ１）を水切りかご８０内に直接入れ、比較的小さい小物類（洗浄後の小物類Ｗ２）を小物入れ１０に入れればよい。
【００１２】
図２と図３に示すように、小物入れ１０は、水切りかご８０に掛止するための掛止部３４と、該掛止部にて水切りかご８０に掛止された状態で洗浄後の小物類Ｗ２を収容するための収容部２２とを備えている。ここで、収容部２２は、長手方向Ｄ１へ傾斜するとともに、小物類Ｗ２から流れてくる水を抜くための水抜き穴２３を有している。なお、長手方向Ｄ１は小物入れ１０が水切りかご８０に掛止された状態で収容部２２を上から見たときに長い方向であるものとし、同状態で収容部２２を上から見たときに短い方向を短手方向Ｄ２とする。収容部２２が長手方向Ｄ１へ傾斜しているとは、小物入れ１０を長手方向Ｄ１に対して直交する水平方向から見たとき（図３の状態）に収容部２２の最も低い部分（図６の底部２２ａ）が水平方向から傾いていることとする。図示の収容部２２は、浅底側縁部２２ｂから深底側縁部２２ｃに向けて徐々に深くなるように傾斜している。
なお、収容部の底部２２ａの勾配は、水切りかごの底部と干渉しない範囲で設定すればよい。
【００１３】
本小物入れ１０は、収容部２２が設けられた小物入れ本体２０と、この小物入れ本体を支持する支持部材３０とが、別体とされている。これらの部材２０，３０が分離されるので、各部材２０，３０に洗浄し難い凹凸形状が無く、本小物入れは洗浄し易くされている。
両部材２０，３０は、例えば、ステンレス等の金属で形成される。むろん、両部材２０，３０を樹脂成形材料の成形品等としてもよい。図４に示すように、小物入れ本体２０は、例えば、パンチングメタルなど穴が多数空いた金属板を所定の形状に曲げ加工して形成される部位２６，２２，２６と、金属板で所定の形状に形成される側面部２４とが、スポット溶接等で接合されて形成される。支持部材３０は、例えば、フレーム状とされ、金属線材を所定の形状（３４，３２ｃ，３２ｂ，３２ｄ，３４の部分）に曲げ加工し、該加工後の金属線材と直線状の金属線材（３２ａの部分）とを溶接等で接合されて形成される。
【００１４】
小物入れ本体２０は、長手方向Ｄ１に対する垂直断面が略Ｕ字形に形成された収容部２２と、この収容部２２の深底側縁部２２ｃの側面を塞ぐ側面部２４と、収容部２２における短手方向Ｄ２の両側縁部から外側に延出した一対の被支持部２６，２６とを有している。収容部２２と側面部２４とで小物類の収容空間ＳＰ１が形成され、収容部２２の縁部と側面部２４の上側縁部とにより形成される開口ＯＰ１から小物類を容易に出し入れすることができるようにされている。
【００１５】
収容部２２は、小物入れ本体において小物類を載置する底面部を構成し、断面略Ｕ字形とされることにより、長手方向Ｄ１に対する垂直断面において下方へ向かって膨出し該収容部の底部２２ａが曲線状に膨らむように湾曲した形状とされている。収容部２２の短手方向Ｄ２の幅は、支持部材３０の枠部３２における短手方向両側となる枠部３２ａ，３２ｂの間隔よりも若干狭くされるか、同間隔と同じにされる。また、収容部２２には、洗浄後の小物類から流れ出る水を抜くための水抜き穴２３が複数形成されている。水抜き穴２３は、小物類が抜け落ちない大きさとされていればよく、例えば数mmの径で収容部２２に多数形成される。むろん、水抜き穴は、四角形など円形以外の形状でもよい。本実施形態のように、収容部２２の略全面にわたって水抜き穴２３が多数形成されると、小物類からの水が下方へ抜け易いので、小物類から水が切れ易くなる。
【００１６】
側面部２４は、傾斜した収容部２２を滑り下りてくる小物類の移動を止め、長手方向Ｄ１において複数の小物類の位置を揃える機能を有している。図３に示すように、側面部２４は、長手方向Ｄ１に対して垂直な水平方向から見たときに下部が収容部側となるように鉛直方向からずれて設けられている。これにより、収容空間ＳＰ１は上側となるほど広がるので、収容空間ＳＰ１に対して小物類を容易に出し入れすることができる。
【００１７】
被支持部２６，２６は、支持部材の枠部３２の上に載置されて支持される。被支持部２６，２６同士の間隔は、短手方向両側の枠部３２ａ，３２ｂの間隔よりも若干広くされるか、同間隔と同じにされる。被支持部２６，２６は、略平行に配置され、開口ＯＰ１の中心を中心として点対称となるように設けられている。被支持部２６，２６は、線材からなる枠部３２の形状に合わせて、長手方向Ｄ１に対する垂直断面が若干上側へ膨らんだ形状とされている。これにより、小物入れ本体の被支持部が支持部材の枠部に対して確実に掛止され、小物入れ本体のがたつきが抑止される。
【００１８】
支持部材３０は、図４に示すように、収容部２２及び側面部２４を囲む枠部３２と、この枠部の長手方向Ｄ１の両側縁部から短手方向Ｄ２の一方の外側へ突出した一対の掛止部３４，３４とを有している。
枠部３２は、短手方向両側の枠部３２ａ，３２ｂと長手方向両側の枠部３２ｃ，３２ｄとを有する略矩形状に形成されている。枠部３２ａ，３２ｂは略直線状とされ、略平行に配置されている。枠部３２ｃ，３２ｄは、若干下方へ膨らむように湾曲した曲線状とされ、互いに並行するように配置されている。これにより、枠部３２は、点対称の形状に形成されている。従って、図３に示すように、小物入れ本体２０は、収容部２２に小物類を収容させる状態で支持部材３０に対して複数の向きにて着脱可能に支持される。
【００１９】
掛止部３４，３４は、上方へ膨らむように湾曲したフック状に形成され、互いに並行するように配置されている。図５に示すように、掛止部３４，３４を水切りかご８０の枠８２に引っ掛けると、枠部３２ａと収容部２２の少なくとも一方を水切りかご８０に接触させながら小物入れ１０を水切りかご８０に掛止させることができる。なお、掛止部は、水切りかごに引っ掛けるだけで小物入れを水切りかごに固定させる構造以外にも、水切りかごから容易に外れないようにするため、水切りかごと係合したり嵌合したりすることにより小物入れを水切りかごに固定させる構造等とされてもよい。
【００２０】
以上の構成を有する小物入れ１０は、図４に示されるようにして容易に組み立てられ、水切りかごに取り付けられる。例えば、掛止部３４，３４を手前にした支持部材３０に対して浅底側縁部２２ｂを右側にして小物入れ本体２０を載置すると、図３の上段に示す状態となり、図１に示すように掛止部３４，３４を左側にして水切りかご８０に掛止させたときに奥側となるほど深くなるように小物入れ１０が配置される。一方、掛止部３４，３４を手前にした支持部材３０に対して浅底側縁部２２ｂを左側にして小物入れ本体２０を載置すると、図３の下段に示す状態となり、掛止部３４，３４を左側にして水切りかご８０に掛止させたときに手前側となるほど深くなるように小物入れ１０が配置される。いずれの場合も、掛止部側の短手方向外側から小物入れ１０を見たときに、収容部２２が水平ではなく傾斜している。
【００２１】
（２）小物入れの作用、効果：
以下、図４〜図６を参照して、本小物入れの作用、効果を説明する。
本小物入れ１０は、水抜き穴２３を有する収容部２２が長手方向Ｄ１へ傾斜しているので、図５の矢印Ａに示すように、側面部２４に突き当たるまで洗浄後の小物食器等の小物類Ｗ２が収容部２２上を滑り下りようとする。これにより、複数の小物類Ｗ２の位置が長手方向Ｄ１に揃うので、小物類Ｗ２が小物入れから取り出し易くなる。また、洗浄後の小物類Ｗ２が長手方向Ｄ１において斜めに置かれるので、小物類Ｗ２から水が切れ易くなる。
さらに、図４に示すように、小物入れの利用者が収容部２２の傾斜の方向を好みに応じて容易に変更することができるので、本小物入れは使い勝手が良好である。
【００２２】
さらに、収容部２２が断面略Ｕ字形、すなわち、長手方向Ｄ１に対する垂直断面において下方へ向かって曲線状に膨らむように湾曲した形状とされているので、図６の矢印Ｂに示すように、洗浄後の小物類Ｗ２が収容部２２において湾曲した底部２２ａに、すなわち、短手方向Ｄ２へも集まる。従って、さらに小物入れから小物類Ｗ２が取り出し易くされている。
なお、収容部が断面略Ｖ字形、すなわち、長手方向Ｄ１に対する垂直断面において下方へ向かって尖るように屈曲した形状とされていると、小物類を取り出す際に小物類が収容部の屈曲した部位に引っ掛かってしまう。本実施形態の小物入れでは、収容部の形状が下方へ向かって曲線状に膨らむように湾曲した形状であるので、この点でもさらに小物入れから小物類が取り出し易くされている。
以上の効果は、収容部が略Ｕ字形とされると、顕著に得られる。
【００２３】
本発明の効果は、水切りかごの設置場所で限定されず、水受けトレイ上に置かれた水切りかご、カウンタ上に直接置かれた水切りかご、等に掛止される小物入れでも得られる。また、水切りかごの中に小物入れが掛止される場合以外にも、水切りかごの外側に小物入れが掛止される場合でも、上述した効果が得られる。
【００２４】
（３）変形例：
本発明の小物入れは、種々の変形例が考えられる。
上記収容部は、パンチングメタルなど穴が多数空いた金属板で構成される以外にも、複数の線材を組み合わせて構成した網状体であってもよいし、板材の一部にのみ水抜き穴を空けて構成されてもよい。
上記側面部にも、小物類から流れてくる水を抜くための水抜き穴を設けてもよい。すると、小物類からの水がさらに下方へ抜け易くなるので、小物類からさらに水が切れ易くなる。
上記収容部の傾斜は、底部が直線状となるように傾けた傾斜以外にも、底部が曲線形状となるように傾けた傾斜でもよい。
【００２５】
図７に示す小物入れ１１０のように、掛止部１３４，１３４と収容部１２２とが分離不能に一体化されてもよい。本小物入れ１１０は、小物入れ本体部１２０に収容部１２２と側面部１２４と被支持部１２６，１２６が設けられ、支持部１３０に枠部１３２と掛止部１３４，１３４が設けられている。本変形例では、水抜き穴１２３，１２５が収容部１２２及び側面部１２４に設けられている。また、被支持部１２６，１２６と収容部の浅底側縁部１２２ｂと側面部の上側縁部１２４ａは、例えば、枠部１３２に対してスポット溶接等で溶接されたり、かしめられたりして、接合される。
本小物入れ１１０では、接合部が凹凸形状となり、掛止部１３４，１３４の位置に対する収容部１２２の傾斜の向きを変更することができないものの、掛止部と収容部とが不用意に分離してしまうことが無くなる。むろん、本変形例でも、洗浄後の小物等を小物入れから出し易くさせることが可能になり、小物類から水が切れ易くなる効果が得られる。
【００２６】
図８と図９に示すように、小物入れ２１０をシンク９２に掛止させるようにしてもよい。本小物入れ２１０は、シンク９２に掛止するための掛止部２３４，２３４と、該掛止部にてシンク９２に掛止された状態で洗浄後の小物類Ｗ２を収容するための収容部２２２とを備え、該収容部が長手方向Ｄ１へ傾斜するとともに小物類Ｗ２から流れてくる水を抜くための水抜き穴２２３を有している。本小物入れ２１０は、小物入れ本体２２０に収容部２２２と側面部２２４と被支持部２２６，２２６が設けられ、支持部材２３０に枠部２３２と掛止部２３４，２３４が設けられている。本変形例の掛止部２３４，２３４は、平板形状とされ、シンク９２の開口部を構成するカウンタ９４上に掛止されるようにされている。本変形例でも、洗浄後の小物等を小物入れから出し易くさせることが可能になり、小物類から水が切れ易くなる効果が得られる。
【００２７】
小物入れが掛止されるシンクは洗浄等のための水槽であればよく、小物入れは、上記変形例のように開口を有するカウンタが設けられている場合にはカウンタの開口近傍に掛止されてもよいし、別部材としてカウンタが設けられていなければ排水口を有するシンク本体に直接掛止されてもよい。いずれの場合も、シンクに掛止されることに含まれる。また、小物入れは、シンク内となるように掛止されてもよいし、シンク上となるように掛止されてもよい。
【００２８】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００２９】
【図１】小物入れを設置したシステムキッチンの一例を示す要部斜視図。
【図２】小物入れの一例を示す斜視図。
【図３】小物入れの一例を示す正面図。
【図４】小物入れを組み立てる一例を示す分解斜視図。
【図５】水切りかごに小物入れを引っ掛けた一例を示す斜視図。
【図６】水切りかごに小物入れを引っ掛けた一例を示す平面図。
【図７】小物入れの変形例を示す斜視図。
【図８】変形例の小物入れを設置したシステムキッチンの一例を示す要部斜視図。
【図９】図８に示す小物入れを同図のＡ１−Ａ１の位置で断面視して示す要部垂直断面図。
【図１０】小物入れの従来例を示す斜視図。
【符号の説明】
【００３０】
１０，１１０，２１０…小物入れ、
２０，２２０…小物入れ本体、
２２，１２２，２２２…収容部、
２２ａ…底部、２２ｂ…浅底側縁部、２２ｃ…深底側縁部、
２３，１２３，１２５，２２３…水抜き穴、
２４…側面部、２６…被支持部、
３０，２３０…支持部材、３２…枠部、３４，１３４，２３４…掛止部、
８０…水切りかご、８２…枠、
９０…システムキッチン、９２…シンク、９４…キッチンカウンタ、
１２０…小物入れ本体部、１３０…支持部、
Ｄ１…長手方向、Ｄ２…短手方向、
ＯＰ１…開口、ＳＰ１…収容空間、
Ｗ１…洗浄後の物、Ｗ２…洗浄後の小物類、
【図１】
2008173373.tif 000003
【図２】
2008173373.tif 000004
【図３】
2008173373.tif 000005
【図４】
2008173373.tif 000006
【図５】
2008173373.tif 000007
【図６】
2008173373.tif 000008
【図７】
2008173373.tif 000009
【図８】
2008173373.tif 000010
【図９】
2008173373.tif 000011
【図１０】
2008173373.tif 000012